(57)【要約】【課題】プラズマディスプレイパネルに用いられる３種（Ｒ，Ｇ，Ｂ）の蛍光体による相異の発光特性を補完して全体的な輝度向上とホワイトバランスを改善することができ、延いては、製造工程が簡単であるだけでなく後工程の作業安定性および信頼性を高めることができるプラズマデイスプレイパネルの隔壁構造を提供する。【解決手段】その隔壁構造は、走査および表示のためのそれぞれのパルスを多数の電極に順次印加することにより発生する放電現象を利用して３種（Ｒ，Ｇ，Ｂ）の蛍光体層２４を多数の隔壁間で発光させることにより画像を表示するためのプラズマデイスプレイパネルにおいて；前記多数の隔壁が隔壁間に突出する突出部３８，３９；４９が形成された少なくとも一つの半格子型隔壁３５，３６，３７；４５，４６，４７，４８を含み構成する。【選択図】図４ａ
2004520680.tif 000002
【特許請求の範囲】
【請求項１】
走査および表示のためのそれぞれのパルスを多数の電極に順次印加することにより発生する放電現象を利用して３種（Ｒ，Ｇ，Ｂ）の蛍光体層を多数の隔壁間で発光させることにより画像を表示するためのプラズマディスプレイパネルにおいて、
前記多数の隔壁を、該隔壁間に突出する突出部が形成された少なくとも一つの半格子型隔壁を含み構成したことを特徴とする、プラズマディスプレイパネルの隔壁構造。
【請求項２】
前記多数の隔壁は、その隔壁間を連結する連結部を含み構成されることを特徴とする、請求項１記載のプラズマディスプレイパネルの隔壁構造。
【請求項３】
前記半格子型隔壁の突出部は、対向側の幅が互いに相異することを特徴とする、請求項１記載のプラズマディスプレイパネルの隔壁構造。
【請求項４】
前記半格子型隔壁の同じ方向の突出部の幅が、３種（Ｒ，Ｇ，Ｂ）の蛍光体層の配列により増大または減少する配列で構成されることを特徴とする、請求項１記載のプラズマディスプレイパネルの隔壁構造。
【請求項５】
前記半格子型隔壁とその突出部の幅が、前記蛍光体層の種類を基準として互いに相異に構成されることを特徴とする、請求項１記載のプラズマディスプレイパネルの隔壁構造。
【請求項６】
前記半格子型隔壁とその突出部の幅が、プラズマディスプレイパネルの画面の位置との関係で互いに相異に構成されることを特徴とする、請求項１記載のプラズマディスプレイパネルの隔壁構造。
【発明の詳細な説明】
【０００１】
【発明の属する技術分野】
本発明は、プラズマディスプレイパネル（以下単にＰＤＰともいう）に用いられる３種（Ｒ，Ｇ，Ｂ）の蛍光体の相異の発光特性を補完して全体的な輝度向上とホワイトバランスを改善することができ、延いては、製造工程が簡単になるだけでなく、後工程の作業安定性および信頼性を高めることができる、プラズマディスプレイパネルの隔壁構造に関する。
【０００２】
【従来の技術】
図１には従来公知のＡＣ型ＰＤＰの概略的な構成が、図示された部分断面図で示されている。この図１において、第１基板１１と第２基板２１が互いに平行に、且つ対向に設置されており、その第１基板１１と第２基板２１との間には、第１基板１１と第２基板２１が一定間隔に維持されて放電空間３０を形成するように隔壁２５が設置されている。放電空間３０にはＸｅ，Ｎｅ，Ｈｅなどの放電ガスが充填される。複数の第１基板電極は、第２基板２１と対向している第１基板１１の表面に互いに平行に一定間隔を空けて設けられており、この複数の第１基板電極は、透明の電極１２，１３と金属電極１４，１５から成る複合電極１２，１３，１４及び１５で形成されている。これらの複合電極１２，１３，１４及び１５上には誘電体層１７とＭｇＯ保護層１８が順に形成されている。前記放電空間３０は複数の放電セルを構成し、隣接する放電セルの間には、ブラックストライプ１６を形成することができる。
【０００３】
また、第２基板２１には、前記複合電極１２，１３，１４，１５から成る複数の第１基板電極と交差して多数の放電セル１０を形成するように多数のアドレス電極２２が互いに平行に形成され、また、これを覆って誘電体層２７が形成されており、また、放電空間３０に露出する隔壁２５の壁面と放電セル１０の底面を覆うように蛍光体層２４が設置されている。前記多数のアドレス電極２２と第２基板２１との間には、隣接機能層に拡散されて浸透（ｍｉｇｒａｔｉｏｎ）される問題を防止し、電極など機能層の印刷性を向上させるために下部層２３が形成されることもある。
【０００４】
このようなＡＣ型ＰＤＰにおいては、第１基板１１上の複合電極１２，１３，１４，１５間に交流電源から所定の電圧を印加して電場を形成することにより、第１基板１１と第２基板２１と隔壁２５で区画される表示要素としての各放電セル１０内で放電が行われる。そして、この放電により発生する紫外線により蛍光体層２４が発光し第１基板１１を透過して画像を形成するようになる。
【０００５】
また、図示例では第２基板２１上に、下部層２３および誘電体層２７が形成されるが、下部層２３および誘電体層２７が設置されないこともある。
【０００６】
前記第１基板電極の透明電極１２，１３は、ＩＴＯまたはＳｎＯ２をコーティングした後、写真蝕刻法によりパターニングされ、金属電極１４，１５はＣｒ／Ｃｕ／ＣｒまたはＣｒ／Ａｌ／Ｃｒなどで形成される。その他の構造物である誘電体層１７、ブラックストライプ１６、及び隔壁２５は、スクリーン印刷方法、オフセット印刷方法などの印刷方法や、サンドブラスト法、スクイジング（ｓｑｕｅｅｚｉｎｇ）法、写真蝕刻法などにより形成される。
【０００７】
【発明が解決しようとする課題】
しかしながら、前記蛍光体層２４を構成するための一般化されているＰＤＰ用蛍光体のうちＲ蛍光体である（Ｙ，Ｇｄ）ＢＯ３：Ｅｕと、Ｂ蛍光体であるＢａＭｇＡｌ１０Ｏ１７：Ｅｕとは、＋の帯電特性を有するが、Ｇ蛍光体であるＺｎ２ＳｉＯ４：Ｍｎは−の帯電特性を有し放電電圧が高いため、動マージン（Ｍａｒｇｉｎ）に問題がある。
【０００８】
また、前述の通り、蛍光体層２４の各蛍光体の特性が相異するため、ホワイトバランスの調整が難しいという問題がある。
【０００９】
一方、図２ａおよび図２ｂに示したような従来公知の隔壁構造は、隔壁２５がストライプ形状であって製造工程は簡単であるが、放電時に発生された可視光がその隔壁２５のストライプ方向に漏れるようになる問題がある。
【００１０】
また、図３ａおよび図３ｂに示したような従来公知の格子形状の隔壁２５の構造は、各カラーセルを指定するのが可能であるため輝度を向上させたり、漏れ光を遮断したり、あらゆる方向でのクロストーク（Ｃｒｏｓｓｔａｌｋ）を防止することができるが、製造工程がややこしいため製作が難しいという問題がある。
【００１１】
従って、本発明は、このような問題を解決するためのもので、簡単な製造工程によりプラズマディスプレイパネルに用いられる３種（Ｒ、Ｇ、Ｂ）の蛍光体による相異の発光特性を補完して、全体的な輝度向上とホワイトバランスを改善することができ、延いては、後工程の作業安定性および信頼性を高めることができるプラズマディスプレイパネルの隔壁構造を提供することにその目的がある。
【００１２】
【課題を解決するための手段】
このような目的を達成するために本発明の一実施例によるプラズマディスプレイパネルの隔壁構造は、走査および表示のためのそれぞれのパルスを多数の電極に順次に印加することにより発生する放電現象を利用して３種（Ｒ，Ｇ，Ｂ）の蛍光体層を多数の隔壁間で発光させることにより画像を表示するためのプラズマディスプレイパネルにおいて；前記多数の隔壁が隔壁間に突出する突出部が形成された少なくとも一つの半格子型隔壁を含み構成されることを特徴とする。
【００１３】
前記多数の隔壁は、その隔壁間を連結する連結部を含み構成されることにより、格子型隔壁を一部含むことができ、半格子型隔壁の突出部の対向側の幅を互いに相異に構成することもでき、また、同じ方向の突出部の幅が３種（Ｒ，Ｇ，Ｂ）の蛍光体層の配列により増大または減少する配列で構成することもできる。
【００１４】
また、前記半格子型隔壁とその突出部の幅が前記蛍光体層の種類を基準として互いに相異に構成したり、プラズマディスプレイパネルの画面の位置との関係で互いに相異に構成することもできる。
【００１５】
【発明の実施の形態】
以下、添付図面を参照して本発明の望ましい実施例を詳細に説明すると次の通りである。
【００１６】
本発明が適用されるカラープラズマディスプレイ装置は、一般的に図１に示した通り、２枚のガラス基板に電極と隔壁、誘電体、蛍光体などの構造物を配置し、これらのガラス基板を対向に配置して封着した後、内部の不純ガスを排出し放電ガスを充填して、電極間放電時に放射される紫外線により励起される蛍光体の発光色を特定の色相表示に応用する表示装置である。
【００１７】
構造物のうち隔壁の機能は、２枚の基板間にギャップ（ｇａｐ）を形成して放電空間３０を確保し、蛍光体の塗布空間を提供することである。
【００１８】
図４ａ〜図５ｂには、本発明に係るプラズマディスプレイパネルの隔壁構造の複数の実施例が斜視図と平面図で示されている。
【００１９】
図４ａ〜図５ｂにおける通り、基本的な本発明の隔壁構造は、多数の隔壁のうち互いの隔壁間に突出する突出部３８，３９；４９が形成された少なくとも一つの半格子型隔壁３５，３６，３７；４５，４６，４７，４８を含み構成されるものである。
【００２０】
即ち、図４ａおよび図４ｂに示したように、隔壁を全て半格子型隔壁３５，３６，３７で構成することができる。また、図５ａおよび図５ｂに示したように、隔壁の構造は、純粋な半格子型隔壁４８と、一側に隔壁間を連結する連結部５０を有し、他側に突出部を有する混合型の半格子型隔壁４５と、一側に隔壁間を連結する連結部５０を有し、他側をストライプ形状に形成した混合型の半格子型隔壁４６と、一側をストライプ形状に形成し、他側に突出部を有する半格子型隔壁４７とを含み構成することもできる。
【００２１】
このような半格子型隔壁３５，３６，３７；４５，４６，４７，４８の突出部３８，３９；４９は、対向側の幅ｍ，ｎが互いに同一に構成されることもでき、互いに相異に構成されることもできる。また、同じ方向の突出部３８，３９；４９の幅は、３種（Ｒ，Ｇ，Ｂ）の蛍光体層１２４，１２５，１２６；１３４，１３５，１３６の配列により増大または減少する配列で構成することもできる。
【００２２】
即ち、第１乃至第３蛍光体層１２４，１２５，１２６；１３４，１３５，１３６の蛍光体の特性により、１種または２種にのみ半格子型隔壁を形成することもでき、また、その突出部３８，３９；４９の幅ｍ，ｎも互いに相異に構成することもできる。
【００２３】
また、図４ｂにおいて、３種（Ｒ，Ｇ，Ｂ）の蛍光体層１２４，１２５，１２６の配列により、同じ方向の突出部３８，３９；４９の幅ｎ１，ｎ２，ｎ３が増大または減少するように半格子型隔壁３５，３６，３７を形成することもできる。
【００２４】
また、半格子型隔壁３５，３６，３７；４５，４６，４７，４８は、図示を省略しているが、プラズマディスプレイパネルの画面の位置との関係で、中央部と周辺部乃至コーナー部により、全格子型隔壁と半格子型隔壁３５，３６，３７；４５，４６，４７，４８の種類を互いに相異の組み合わせで配置することもでき、また、その突出部３８，３９；４９の幅を変化させて形成することもできる。
【００２５】
例えば、Ｒ，Ｇ，Ｂ蛍光体層に対し、それぞれ互いに異なる構造、即ち、Ｒの第２蛍光体層（図５Ｂで“１３５”）に対してはその両側をストライプ形状の隔壁構造にし、Ｇの第３蛍光体層（図５ｂで“１３６”）に対してはその両側を半格子型隔壁構造にし、Ｂの第１蛍光体層（図５ｂで“１３４”）に対しては全格子型隔壁構造で構成することができ、また、Ｒ，Ｇ，Ｂ蛍光体のうちいずれか一つまたは二つの蛍光体に対しては、全格子型隔壁構造にし、残りは半格子型隔壁構造にするなどの色々な組み合わせが蛍光体の特性とプラズマディスプレイパネルの構造およびその駆動特性により利用されることができる。
【００２６】
また、図４ａおよび図４ｂにおいて、半格子型隔壁３５，３６，３７の突出部３８，３９間の長さａは、突出部３８，３９の長さｂより長く形成されている。
【００２７】
このように、半格子型隔壁３５，３６，３７；４５，４６，４７，４８を形成することにより、蛍光体塗布面積（表面広さ）を調節することができ、また、組立工程で排気時に排気の誘導（ｃｏｎｄｕｃｔａｎｃｅ）を向上させることができ、さらに、充填ガスの注入／平衡が容易になり、延いては、セルとセル間の荷電粒子の移動が容易になり、蛍光体コーテイング性が向上されるようになり、隔壁の形成品質が優れるようになるなどの利点がある。
【００２８】
このような半格子型隔壁３５，３６，３７；４５，４６，４７，４８は、ＡＣ型やＤＣ型のプラズマディスプレイパネルを始めとし、透過型や反射型および対向放電型や面放電型などの全てのプラズマディスプレイパネルに適用可能である。
【００２９】
【発明の効果】
以上で説明した本発明の実施例によるプラズマディスプレイパネルの隔壁構造の構成と作用によれば、簡単な製造工程によりプラズマディスプレイパネルに用いられる３種（Ｒ，Ｇ，Ｂ）の蛍光体による相異の発光特性を補完して全体的な輝度向上とホワイトバランスを改善することができ、延いては、後工程の作業安定性および信頼性を高めることができるなどの効果がある。
【図面の簡単な説明】
【図１】
従来のプラズマディスプレイパネル（ＰＤＰ）の構成を説明するための概略部分断面図である。
【図２ａ】
従来のストライプ形状の隔壁構造を一部図示した斜視図である。
【図２ｂ】
従来のストライプ形状の隔壁構造を一部図示した平面図である。
【図３ａ】
従来の格子形状の隔壁構造を一部図示した斜視図である。
【図３ｂ】
従来の格子形状の隔壁構造を一部図示した平面図である。
【図４ａ】
本発明の一実施例による半格子形状の隔壁構造を一部図示した斜視図である。
【図４ｂ】
本発明の一実施例による半格子形状の隔壁構造を一部図示した平面図である。
【図５ａ】
本発明の別の実施例により半格子形状の隔壁と格子形状の隔壁を含む隔壁構造を一部図示した斜視図である。
【図５ｂ】
本発明の別の実施例により半格子形状の隔壁と格子形状の隔壁を含む隔壁構造を一部図示した平面図である。
【符号の説明】
３５，３６，３７  半格子型隔壁
３８，３９  突出部
４５，４６，４７，４８  半格子型隔壁
４９  突出部
５０  連結部
１２４，１３４  第１蛍光体層
１２５，１３５  第２蛍光体層
１２６，１３６  第３蛍光体層
【国際公開パンフレット】
2004520680.tif 000003
2004520680.tif 000004
2004520680.tif 000005
2004520680.tif 000006
2004520680.tif 000007
2004520680.tif 000008
2004520680.tif 000009
2004520680.tif 000010
2004520680.tif 000011
2004520680.tif 000012
2004520680.tif 000013
2004520680.tif 000014
2004520680.tif 000015
2004520680.tif 000016
2004520680.tif 000017
2004520680.tif 000018
2004520680.tif 000019
2004520680.tif 000020
2004520680.tif 000021
2004520680.tif 000022
2004520680.tif 000023
【手続補正書】
【提出日】平成13年6月21日(2001.6.21)
【手続補正１】
【補正対象書類名】明細書
【補正対象項目名】特許請求の範囲
【補正方法】変更
【補正の内容】
【特許請求の範囲】
【請求項７】
走査および表示のためのそれぞれのパルスを多数の電極に順次印加することにより発生する放電現象を利用して３種（Ｒ，Ｇ，Ｂ）の蛍光体層を多数の隔壁間で発光させることにより画像を表示するためのプラズマディスプレイパネルにおいて、
前記多数の隔壁は、該隔壁間に突出する突出部が形成された少なくとも一つの半格子型隔壁を含み構成され、前記半格子型隔壁の突出部が対向側の幅が互いに相異することを特徴とする、プラズマデイスプレイパネルの隔壁構造。
【請求項８】
前記半格子型隔壁の同じ方向の突出部の幅は、３種（Ｒ，Ｇ，Ｂ）の蛍光体層の配列により増大または減少する配列でその半格子型隔壁が構成されることを特徴とする、請求項７記載のプラズマデイスプレイパネルの隔壁構造。
【請求項９】
前記半格子型隔壁とその突出部の幅が、前記蛍光体層の種類を基準として互いに相異に構成されることを特徴とする、請求項７記載のプラズマデイスプレイパネルの隔壁構造。
【請求項１０】
前記半格子型隔壁とその突出部の幅が、プラズマディスプレイパネルの画面の位置との関係で互いに相異に構成されることを特徴とする、請求項７記載のプラズマデイスプレイパネルの隔壁構造。
【請求項１１】
走査および表示のためのそれぞれのパルスを多数の電極に順次印加することにより発生する放電現象を利用して３種（Ｒ，Ｇ，Ｂ）の蛍光体層を多数の隔壁間で発光させることにより画像を表示するためのプラズマディスプレイパネルにおいて、
前記多数の隔壁は、該隔壁間に突出する突出部が形成された少なくとも一つの半格子型隔壁を含み構成され、前記半格子型隔壁の同じ方向の突出部の幅が３種（Ｒ，Ｇ，Ｂ）の蛍光体層の配列により増大または減少する配列で構成されることを特徴とする、プラズマディスプレイパネルの隔壁構造。
【請求項１２】
前記半格子型隔壁とその突出部の幅が、前記蛍光体層の種類を基準として互いに相異に構成されることを特徴とする、請求項１１記載のプラズマディスプレイパネルの隔壁構造。
【請求項１３】
前記半格子型隔壁とその突出部の幅が、プラズマディスプレイパネルの画面の位置との関係で互いに相異に構成されることを特徴とする、請求項１１記載のプラズマデイスプレイパネルの隔壁構造。
【請求項１４】
走査および表示のためのそれぞれのパルスを多数の電極に順次印加することにより発生する放電現象を利用して３種（Ｒ，Ｇ，Ｂ）の蛍光体層を多数の隔壁間で発光させることにより画像を表示するためのプラズマディスプレイパネルにおいて、
前記多数の隔壁は、該隔壁間に突出する突出部が形成された少なくとも一つの半格子型隔壁を含み構成され、前記半格子型隔壁とその突出部の幅が前記蛍光体層の種類を基準として互いに相異に構成されることを特徴とする、プラズマディスプレイパネルの隔壁構造。
【請求項１５】
前記半格子型隔壁とその突出部の幅が、プラズマディスプレイパネルの画面の位置との関係で互いに相異に構成されることを特徴とする、請求項１４記載のプラズマディスプレイパネルの隔壁構造。
【手続補正書】
【提出日】平成16年3月18日(2004.3.18)
【手続補正１】
【補正対象書類名】明細書
【補正対象項目名】特許請求の範囲
【補正方法】変更
【補正の内容】
【特許請求の範囲】
【請求項１】
走査および表示のためのそれぞれのパルスを多数の電極に順次印加することにより発生する放電現象を利用して３種（Ｒ，Ｇ，Ｂ）の蛍光体層を多数の隔壁間で発光させることにより画像を表示するためのプラズマディスプレイパネルにおいて、
前記多数の隔壁を、該隔壁間に突出する突出部が形成された少なくとも一つの半格子型隔壁を含み構成したことを特徴とする、プラズマディスプレイパネルの隔壁構造。
【請求項２】
前記多数の隔壁は、その隔壁間を連結する連結部を含み構成されることを特徴とする、請求項１記載のプラズマディスプレイパネルの隔壁構造。
【請求項３】
前記半格子型隔壁の突出部は、対向側の幅が互いに相異することを特徴とする、請求項１記載のプラズマディスプレイパネルの隔壁構造。
【請求項４】
前記半格子型隔壁の同じ方向の突出部の幅が、３種（Ｒ，Ｇ，Ｂ）の蛍光体層の配列により増大または減少する配列で構成されることを特徴とする、請求項１記載のプラズマディスプレイパネルの隔壁構造。
【請求項５】
前記半格子型隔壁とその突出部の幅が、前記蛍光体層の種類を基準として互いに相異に構成されることを特徴とする、請求項１記載のプラズマディスプレイパネルの隔壁構造。
【請求項６】
前記半格子型隔壁とその突出部の幅が、プラズマディスプレイパネルの画面の位置との関係で互いに相異に構成されることを特徴とする、請求項１記載のプラズマディスプレイパネルの隔壁構造。
【請求項７】
走査および表示のためのそれぞれのパルスを多数の電極に順次印加することにより発生する放電現象を利用して３種（Ｒ，Ｇ，Ｂ）の蛍光体層を多数の隔壁間で発光させることにより画像を表示するためのプラズマディスプレイパネルにおいて、
前記多数の隔壁は、該隔壁間に突出する突出部が形成された少なくとも一つの半格子型隔壁を含み構成され、前記半格子型隔壁の突出部が対向側の幅が互いに相異することを特徴とする、プラズマディスプレイパネルの隔壁構造。
【請求項８】
前記半格子型隔壁の同じ方向の突出部の幅は、３種（Ｒ，Ｇ，Ｂ）の蛍光体層の配列により増大または減少する配列でその半格子型隔壁が構成されることを特徴とする、請求項7記載のプラズマディスプレイパネルの隔壁構造。
【請求項９】
前記半格子型隔壁とその突出部の幅が、前記蛍光体層の種類を基準として互いに相異に構成されることを特徴とする、請求項7記載のプラズマディスプレイパネルの隔壁構造。
【請求項１０】
前記半格子型隔壁とその突出部の幅が、プラズマディスプレイパネルの画面の位置との関係で互いに相異に構成されることを特徴とする、請求項7記載のプラズマディスプレイパネルの隔壁構造。
【請求項１１】
走査および表示のためのそれぞれのパルスを多数の電極に順次印加することにより発生する放電現象を利用して３種（Ｒ，Ｇ，Ｂ）の蛍光体層を多数の隔壁間で発光させることにより画像を表示するためのプラズマディスプレイパネルにおいて、
前記多数の隔壁は、該隔壁間に突出する突出部が形成された少なくとも一つの半格子型隔壁を含み構成され、前記半格子型隔壁の同じ方向の突出部の幅が３種（Ｒ，Ｇ，Ｂ）の蛍光体層の配列により増大または減少する配列で構成されることを特徴とする、プラズマディスプレイパネルの隔壁構造。
【請求項１２】
前記半格子型隔壁とその突出部の幅が、前記蛍光体層の種類を基準として互いに相異に構成されることを特徴とする、請求項１１記載のプラズマディスプレイパネルの隔壁構造。
【請求項１３】
前記半格子型隔壁とその突出部の幅が、プラズマディスプレイパネルの画面の位置との関係で互いに相異に構成されることを特徴とする、請求項１１記載のプラズマディスプレイパネルの隔壁構造。
【請求項１４】
走査および表示のためのそれぞれのパルスを多数の電極に順次印加することにより発生する放電現象を利用して３種（Ｒ，Ｇ，Ｂ）の蛍光体層を多数の隔壁間で発光させることにより画像を表示するためのプラズマディスプレイパネルにおいて、
前記多数の隔壁は、該隔壁間に突出する突出部が形成された少なくとも一つの半格子型隔壁を含み構成され、前記半格子型隔壁とその突出部の幅が前記蛍光体層の種類を基準として互いに相異に構成されることを特徴とする、プラズマディスプレイパネルの隔壁構造。
【請求項１５】
前記半格子型隔壁とその突出部の幅が、プラズマディスプレイパネルの画面の位置との関係で互いに相異に構成されることを特徴とする、請求項１４記載のプラズマディスプレイパネルの隔壁構造。本書類は平成１４年５月３０日付にて提出すみですが、方式的な誤りが発見されましたので正しいものを再提出いたします。実体的な内容を変更するものではありません。
【国際調査報告】
2004520680.tif 000024
2004520680.tif 000025